(57)【要約】【課題】化粧用溶液をしみ込ませたパック用のシートの化粧用溶液が凍ったとしても同シートを顔の形状に沿って密着させることの可能な顔用の冷パック用具を提供すること。【解決手段】人の顔左半分の起伏に対応して凹凸形状に成形された使用面が設けられたの第１のスポンジ台１を用意する。パック用シートに化粧水を含浸させ第１のスポンジ台１の使用面３上にその凹凸形状に沿うように載置する。同様に人の顔右半分の起伏に対応した第２のスポンジ台上にも化粧水を含浸させたパック用シートを載置する。それらを冷凍庫内に静置して凍結させる。するとパック用シートは凹凸形状に固化することとなり顔の起伏に沿って冷パック処理をすることができる。【選択図】        図２
0003125435.tif 000002
【実用新案登録請求の範囲】
【請求項１】
人の顔の起伏に対応して凹凸形状に成形された使用面が設けられた弾性体と、含浸させた化粧用溶液を保持するとともに前記弾性体の前記使用面上に同使用面の凹凸に沿って載置される可撓性吸水シートとを備え、
前記弾性体は前記可撓性吸水シートが載置された状態で冷却雰囲気中に配置され、同可撓性吸水シートが十分冷却された段階で同可撓性吸水シートもろとも冷却雰囲気中から取り出されることを特徴とする顔用の冷パック用具。
【請求項２】
前記弾性体の前記使用面と前記可撓性吸水シートとの間に同使用面の凹凸形状に沿って載置される保冷シートを備えることを特徴とする請求項１に記載の顔用の冷パック用具。
【請求項３】
前記弾性体は左右一対に分割された分割体から構成されていることを特徴とする請求項１又は２に記載の顔用の冷パック用具。
【請求項４】
前記可撓性吸水シートは前記弾性体の前記使用面上に同使用面の起伏に沿って載置された状態で同使用面の外郭形状と略一致することを特徴とする請求項１〜３のいずれかに記載の顔用の冷パック用具。
【請求項５】
前記弾性体の少なくとも前記使用面の表面には皮膜層が形成されていることを特徴とする請求項１〜４のいずれかに記載の顔用の冷パック用具。
【考案の詳細な説明】
【技術分野】
【０００１】
本考案は冷却した化粧用溶液のパックを顔に施すために使用する顔用の冷パック用具に関するものである。
【背景技術】
【０００２】
従来から主としてスキンケア用の化粧用溶液（化粧水や乳液）を図５に示すような不織布等からなるパック用シート１００に含浸させて顔に貼り、パック処理をすることが行われている。パック処理とは要は化粧品のしみ込んだシートを肌に貼ったり肌に直接パック剤を展着したりすることで化粧用溶液中の有効成分を肌に密着させることで有効成分の浸透性を向上させ肌に対する成分の効能をより高めるスキンケア手段である。このような一例を技術文献１に示す。
【特許文献１】特開２００３−３２１３４２号公報
【考案の開示】
【考案が解決しようとする課題】
【０００３】
ところで、化粧品をどのような環境下で使用するかは各種説があり一定しない。例えば特許文献１のように温熱効果を発揮させることでより化粧品の肌への効果を向上させるという美容理論がある一方で、風呂上がりの火照った肌に対して冷たい化粧品を使用することが良いとする美容理論がある。これは肌を引き締めるには化粧品は冷たい方が良く、更に化粧品が冷たいと接した部分の血行が良くなるというものであり、また化粧品が冷たいと化粧品中の油分の分子が小さくなるため肌により浸透しやすいといった理由からでもある。
そのためには、冷却した化粧品を直接肌に付ければよいのであるが、それは付けた瞬間だけの冷たさであり、継続的に火照った肌を冷やすことはできない。また、冷凍化してしまうと化粧品は使えないので直接肌に化粧品を使う場合には凍らない程度の冷却温度に抑える必要がある。このようなことから、化粧用溶液が凍るほどの低い温度の化粧品によるパック技術（これを冷パックいう）であって、特に顔に対する冷パック技術が望まれていた。
このような冷パックは例えば上記図５に示すような眼、鼻及び口の部分が切り欠かれたパック用シート１００に化粧水のような化粧用溶液を含浸させて冷凍庫で冷凍させれば可能なようにも思える。しかしながら、このように冷凍したパック用シート１００は顔の凹凸に沿って成形されるわけではないので使用の際にどうしてもパック用シート１００と肌の間に隙間ができてしまうこととなる。そのため、例え化粧用溶液が凍っても肌に密着させられる冷パック技術が求められていた。
本考案は、このような従来の技術に存在する問題点に着目してなされたものである。その主目的とするところは、化粧用溶液をしみ込ませたパック用のシートの化粧用溶液が凍ったとしても同シートを顔の形状に沿って密着させることの可能な顔用の冷パック用具を提供することにある。
【課題を解決するための手段】
【０００４】
上記の目的を達成するための第１の手段として、人の顔の起伏に対応して凹凸形状に成形された使用面が設けられた弾性体と、含浸させた化粧用溶液を保持するとともに前記弾性体の前記使用面上に同使用面の凹凸に沿って載置される可撓性吸水シートとを備え、前記弾性体は前記可撓性吸水シートが載置された状態で冷却雰囲気中に配置され、同可撓性吸水シートが十分冷却された段階で同可撓性吸水シートもろとも冷却雰囲気中から取り出されるようにしたことをその要旨とする。
このような構成においては、まず使用者は弾性体の使用面上に化粧用溶液を含浸させた可撓性吸水シートを載置する。この際にシートは人の顔の起伏に対応して凹凸形状に成形された使用面の形状に対応して変形する。そして、可撓性吸水シートが載置された状態で弾性体を冷凍庫のような冷却雰囲気中に配置する。そして、所望の時間をかけて可撓性吸水シートを冷却し弾性体とともに取り出し弾性体を台として顔に可撓性吸水シートを押し当てる。
このような構成とすれば可撓性吸水シートを冷却し、凍ったとしても顔の形状に略沿って固化するため使用時に顔の起伏に対応してシートが肌に密着することとなり、隙間ができにくい。また、弾性体側を把持すればそのまま可撓性吸水シートを顔に押しつけられるため、使用に際して可撓性吸水シートに手を触れることなく可撓性吸水シートを顔に押しつけることができるため手の熱で可撓性吸水シートの温度が上がってしまうということもない。
更に、人によって顔の起伏と弾性体の凹凸形状とが完全に一致していないケースにおいては使用に際して弾性体に対する押圧力を適宜調整することで可撓性吸水シートの肌への密着性を向上させることが可能となる。
【０００５】
ここに、「人の顔の起伏に対応して凹凸形状に成形された使用面」とは人の顔の湾曲状態や鼻の突起や眼のくぼみ等の起伏に応じて互いに密着できるように成形されていることを意味する。例えば人の頬は丸く膨らんでいるがこの頬の部分に対応する使用面は逆に凹んで形成されることとなる。また、例えば眼のくぼみの部分では使用面は膨出することとなる。但し、完全に顔の起伏に応じた凹凸形状に成形しなければならないわけではない。例えば人によって形状の差の大きな箇所があったり、パックの重要度の低い場所はそれほど正確な成形が必要なかったりするからである。例えば頬、眼の周囲及び額からこめかみにかけてのみ比較的顔の起伏に対応させその他の部分はそれほど顔の起伏を考慮しないというようなことがあってもよい。
また、ここで「弾性体」とは一般的にはプラスチック、合成ゴム等の発泡成形によって製造されるブロック体である。但し海綿のような天然スポンジを積極的に排除するものではない。弾性体の材料としては例えばポリウレタン系、ポリオレフィン系、合成ゴム系、ＥＶＡ樹脂等が挙げられる。
また、「化粧用溶液」とは一般的には基礎化粧品を意味する。
【０００６】
第２の手段では第１の手段に加え、前記弾性体の前記使用面と前記可撓性吸水シートとの間に同使用面の凹凸形状に沿って載置される保冷シートを備えるようにしたことをその要旨とする。
可撓性吸水シートがごく薄い場合には比較的短時間で肌熱で温度が上がってしまうこととなる。このため、可撓性吸水シートを厚くするという方策も考えられるもののその場合引用文献は化粧溶液が相対的に多く必要となってしまう。ところが、このように保冷シートを使用面の凹凸形状に沿って載置し、その上に更に可撓性吸水シートを載置するようにすれば可撓性吸水シートを長時間に渡って冷えたままで使用することが可能となる。保冷シートの冷却効果が高ければ可撓性吸水シートのみを逐次交換して何度もパックが可能となる。
ここに保冷シートは封入された水と高吸水性樹脂からなるいわゆる保冷剤のような形態でも、例えば厚めの可撓性吸水シート（例えば不織布のような）に含水させたような形態でも構わない。このような可撓性吸水シートに含水（化粧水等でももちろんよい）させれば冷凍することで保冷シートが弾性体に氷着して脱落しにくくなる。
【０００７】
第３の手段では第１又は第２の手段に加え、前記弾性体を左右一対に分割された分割体から構成させるようにしたことをその要旨とする。
顔は非常に複雑な立体形状の起伏を有しているため、顔全体を１つの使用面を備えた１つの弾性体で構成すると、可撓性吸水シートを隙間なく使用面の凹凸形状に沿って載置することが必ずしも容易ではない。
そのため、弾性体を縦に２分割し左顔面と右顔面の左右一対で構成し可撓性吸水シートをセットしやすくしたものである。
【０００８】
第４の手段では第１〜第３のいずれか手段に加え、前記可撓性吸水シートを前記弾性体の前記使用面上に同使用面の起伏に沿って載置された状態で同使用面の外郭形状と略一致させるようにしたことをその要旨とする。
このような構成とすれば、可撓性吸水シートが使用面から大きくはみ出ることがないので使用中にはみ出た部分に接触してシートの位置がすれてしまうようなことがない。また、特にシートがはみ出た場合には上記のような弾性体を左右に分割するとはみ出た部分が他方の分割体の操作の邪魔になることがあるが、このような構成とすることでそのような不具合が解消されることとなる。
第５の手段では第１〜第４のいずれか手段に加え、前記弾性体の少なくとも前記使用面の表面には皮膜層が形成されているようにしたことをその要旨とする。
皮膜層とはいわゆるスキン層のことである。一般に成形型内で発泡させることによって表面に皮膜層を形成させることは容易である。このような皮膜層を弾性体の使用面の表面に形成させることによって可撓性吸水シートに含浸させた化粧用溶液が弾性体側の気泡空隙内に移動してしまうこと（弾性体に吸い取られてしまうこと）が防止できる。
【考案の効果】
【０００９】
上記各請求項の考案では、化粧用溶液をしみ込ませたパック用の可撓性吸水シートの化粧用溶液が凍ったとしても同シートは顔の形状に応じた形状で固化するため顔に沿って同シートを密着させることができ、効果的な顔の冷パックが可能となる。
【考案を実施するための最良の形態】
【００１０】
以下、本考案における顔用の冷パック用具を具体化した実施の形態を図面に基づいて説明する。
図１（ａ）〜（ｄ）及び図２に示すように、冷パック用具の一部をなす弾性体としての第１のスポンジ台１は発泡ポリスチレン性のブロック体から構成されている。第１のスポンジ台１の表面には皮膜層が形成されている。第１のスポンジ台１は略靴底状の平面形状の板体とされ、本実施の形態では長尺側で最大約２２ｃｍ、幅側（中央付近）で最大約１２ｃｍの長さとされている。第１のスポンジ台１は顔面の左半分側をパックするために使用され、第１のスポンジ台１と平面形状において鏡像関係となる顔面の右半分側をパックするための第２のスポンジ台と左右一対で一組とされている。尚、以下においては第１のスポンジ台１について詳述し、鏡像関係となる第２のスポンジ台の詳しい説明は省略する。
図１（ａ）〜（ｄ）に示すように、第１のスポンジ台１の上面は使用面３とされている。使用面３は顔の起伏に対応して凹凸形状に成形されるとともにその周縁は同スポンジ台１の側面４になだらかに連続するように面取り加工が施されている。底面５は平面状に形成されている。
使用面３には額から頬、更に顎にかけての膨らみに対応した浅い皿状の窪み部７が形成されている。窪み部７の周囲には顔の起伏に対応した隆起形状が形成されている。具体的には鼻の側面に面する第１の隆起部８と、鼻と唇の間に当接される第２の隆起部９と、唇と顎の間に当接される第３の隆起部１０と、こめかみに当接される第４の隆起部１１がそれぞれ形成されている。第１の隆起部８は顔の起伏の中で最も高い鼻の側面に沿わせるため最も隆起して形成され、第２の隆起部９、第３の隆起部１０と徐々に低く形成され第４の隆起部１１は最も低い隆起状態で形成されている。
図３（ａ）及び（ｂ）に示すように、第１及び第２のスポンジ台１，２の上には冷パック用具の一部をなす薄手の不織布からなる可撓性吸水シートとしてのパック用シート７が載置される。パック用シート７は平面形状において第１及び第２のスポンジ台１，２の外郭形状よりもわずかに大きな長楕円形状に形成されている。尚、図３（ｂ）ではパック用シート７の厚みは若干誇張されている。
【００１１】
次に上記のように構成された第１及び第２のスポンジ台１，２とパック用シート７を使用した冷パック処理について説明する。
まず、２枚のパック用シート７に化粧水を含浸させる。そして、それらをそれぞれ第１及び第２のスポンジ台１，２の使用面３上にその凹凸形状に沿うように載置する。その際にパック用シート７の縁部分は使用面３の外に若干はみ出るのでこれを使用面３の面取り位置（つまり使用面３の周縁から同スポンジ台１，２の側面４の上縁寄り付近）が被覆されるよう密着させる。
次いで、このパック用シート７がセットされた第１及び第２のスポンジ台１，２を冷蔵庫の冷凍室のような極めて低い温度雰囲気中に静置し冷却する。すると冷却に伴って化粧水が凍るためパック用シート７は使用面３の凹凸形状に従って固化することとなる。
一方、使用者はこの間に入浴を済ませておく。そして、図４に示すように風呂上がりに第１及び第２のスポンジ台１，２を取り出す。そして、図４（ｂ）に示すように第１のスポンジ台１を左手に、第２のスポンジ台２を右手に取ってそれぞれの手で支持しながらそのままパック用シート７を自身の顔面に押しつけるようにする。その際に例えば、若干密着性が不十分な部分があると感じる場合にはスポンジ台１，２を強く押しつけるとその押圧力による変形に追随してパック用シート７も変形することとなってより肌に密着するようになる。パック用シート７が冷えすぎて肌が痛く感じるようであれば適宜顔から一旦外す等しながら冷パック処理を行う。
このようなパック用シート７がセットされた第１及び第２のスポンジ台１，２を複数個同時に冷却しておけば、次々と取り替えて冷パックをすることも可能である。また、パック用シート７はスポンジ台１，２に氷着しにくく容易に取り外せるため前もって凍らせたパック用シート７をストックしておくことも可能である。
【００１２】
上記のような構成とすることで本実施の形態は次のような効果が奏される。
（１）パック用シート７は凍って顔の起伏に略沿った形状となるため冷パックを行う際にパック用シート７を顔に密着させることが可能となり、冷パックの効果をより高めることとなる。
（２）パック用シート７の凹凸形状が完全に使用者の顔の起伏と合っていなくともスポンジ台の顔への押しつけ力や押しつける方向等の修正動作でパック用シート７を肌に密着させることが可能となる。
（３）第１及び第２のスポンジ台１，２は左右分割されており、各々にパック用シート７を載置するばよいため、使用面３が凹凸の複雑な形状をしているにも関わらずパック用シート７が載置しやすいものとなっている。
（４）パック用シート７にまったく手を触れることなく冷パックが可能であり、せっかく冷えたパック用シート７が手の熱で温度が上がってしまうことがない。
（５）パック用シート７は若干使用面３よりも大きめに構成する必要があり、どうしても外方にはみ出ることとなるが、はみ出た部分も凍ってしまうためパック処理中に邪魔になることはない。
（６）パック用シート７は凍結したとしてもスポンジ台１，２に氷着しにくいため、前もって凍らせたパック用シート７をストックしておくことが可能である。
【００１３】
その他、本発明は以下のような態様で変更して実施することも可能である。
・パック用シート７の下に保冷シートを敷いてもよい。保冷シートは例えば厚めの不織布を使用したり水と高吸水性樹脂が可撓性容器内に封入されたいわゆる保冷剤のようなものでもよい。
・使用に際しては化粧水を途中で足してもよい。
・使用者の使用タイミングとして上記実施の形態では風呂上がりを例としたが、特に風呂上がりでない状態で使用することも自由である。
・上記実施の形態で使用に際してはパック用シート７が暖まって来た場合には途中で再度冷凍庫に入れても良い
・上記実施の形態では第１及び第２のスポンジ台１，２の左右の分割体を挙げたが、一体化した１つのスポンジ台であっても構わない。
・第１及び第２のスポンジ台１，２の使用面３の凹凸形状は上記のようなパターンに限定されるものではない。
・化粧水以外の化粧溶液を使用してもよい
その他、本考案の趣旨を逸脱しない範囲で変更して実施することは自由である。
【図面の簡単な説明】
【００１４】
【図１】本発明の実施の形態の第１のスポンジ台の（ａ）は平面図、（ｂ）は右側面図、（ｃ）は左側面図、（ｄ）は正面図。
【図２】同じ実施の形態の第１のスポンジ台の斜視図。
【図３】同じ実施の形態のパック用シートの（ａ）は平面図、（ｂ）は側面図。
【図４】同じ実施の形態の使用状態を説明する説明図であって（ａ）は冷パック処理前、（ｂ）は冷パック処理中。
【図５】従来のパック処理に使用されるパック用シートの平面図。
【符号の説明】
【００１５】
１…弾性体としての第１のスポンジ台、２…弾性体としての第２のスポンジ台、３…使用面、７…可撓性吸水シート。
【図１】
0003125435.tif 000003
【図２】
0003125435.tif 000004
【図３】
0003125435.tif 000005
【図４】
0003125435.tif 000006
【図５】
0003125435.tif 000007